(57)【要約】【課題】水循環式コンプレッサから排出される全てのドレーンを純水化してリザーバタンクを介してコンプレッサ側に戻出し閉ループ化して外部からの冷却水（潤滑水）の供給を不要とした水循環式コンプレッサにおけるドレーンの純水化及び閉ループ化方法を提供する。【解決手段】コンプレッサ２からの全てのドレーンはフィルタ１ａや純水器１ｂからなる純水変換部１を介して純水化してリザーバタンク３に送られる。リザーバタンク３内に蓄水している純水はリザーバタンク３の水頭（又は水ポンプ）によりコンプレッサ２に戻水される。コンプレッサ２側で必要としない純水はオーバーフロー水として排水溝１１に送られる。【選択図】図１
2007127024.tif 000002
【特許請求の範囲】
【請求項１】
水循環式コンプレッサにおけるドレーンの純水化と供給水の閉ループ化のシステムであって、該システムは、コンプレッサ側から排水される全てのドレーンを純水変換部を介して純水とし、これをリザーバタンクに蓄水し、前記リザーバタンクからコンプレッサ側に必要量の純水を供給し、コンプレッサ側で必要以上に蓄水されたリザーバタンク内の純水をオーバーフロー水として、ドレーンとして排水し、前記工程を繰返し行うことを特徴とする水循環式コンプレッサにおけるドレーンの純水化及び閉ループ化方法。
【請求項２】
前記純水変換部が、フィルタ及び純水器（含むイオン交換樹脂）からなることを特徴とする請求項１に記載の水循環式コンプレッサにおけるドレーンの純水化及び閉ループ化方法。
【請求項３】
前記リザーバタンクをコンプレッサの供給水部位より高い位置に配置し、水頭によって純水供給を行うことを特徴とする請求項１に記載の水循環式コンプレッサにおけるドレーンの純水化及び閉ループ化方法。
【請求項４】
前記リザーバタンクをコンプレッサの供給水部位より低い位置に設置し、水ポンプを用いて純水供給を行うことを特徴とする請求項１に記載の水循環式コンプレッサにおけるドレーンの純水化及び閉ループ化方法。
【発明の詳細な説明】
【技術分野】
【０００１】
本発明は、水循環式コンプレッサから排出される全てのドレーンを純水化すると共に新しい供給水を使用することなく供給水を閉ループで循環して使用できる水循環式コンプレッサにおけるドレーンの純水化及び閉ループ化方法に関する。
【背景技術】
【０００２】
図３は一般に使用されている水循環式コンプレッサの概要構成を示す。コンプレッサ２にはエアクリーナ４から空気容量調整弁５を介して空気が供給されると共に水供給源６からの水が絞り弁を介して送水される。なお、水供給源６からの水は水タンク１３にも供給される。コンプレッサ２で圧縮された水を含む空気は水タンク１３にて気水分離され、分離された圧縮空気はドライヤ７等を介して空気使用側８に送られる。一方、分離された水は水タンク１３に蓄水され、この水はクーラ９やフィルタ１０等を介してコンプレッサ２側に供給されるものとドレーンとして排出されるものとになる。
なお、水循環式コンプレッサに関する公知技術としては、例えば、「特許文献１」が挙げられる。
【特許文献１】特許第３００８９３３号（図１）
【発明の開示】
【発明が解決しようとする課題】
【０００３】
「特許文献１」の「特許第３００８９３３号」の「水噴射式空気圧縮装置とその水質管理方法」は、水タンクを出た圧縮空気を水分の飽和温度以下に冷却して水分を凝縮分離する除湿機を配設し、除湿機で分離された水分を空気と共に圧縮機の空気吸入口に直接供給し、水を補給することなく長時間連続運転することができる圧縮装置と水管理方法を開示するものであり、供給水の閉ループ化について本発明と似ている点があるが、ドレーンの純水化を図るものでない。
【０００４】
一般に、水循環式コンプレッサにおいて冷却水（潤滑水）は外部配管により供給される。一方、コンプレッサに使用される構成部品は防食材である銅，銅合金，亜鉛等が多く使用される。そのため、コンプレッサから排出されるドレーンには排出基準値を超える銅イオンや亜鉛イオン等の金属イオンが含まれることが多い。よって、ドレーンはそのまま排水することが出来ず、何等かの処理をしなければならなかった。
【０００５】
本発明は、以上の事情に鑑みて発明されたものであり、ドレーンを純水化して排出可能水とすると共に、純水化されたドレーンを再びリザーバタンク側に戻し、このリザーバタンク内の純水を再びコンプレッサ側に送って再使用させて循環するようにし、閉ループ化によって供給水の外部供給量を無くするか低減させる水循環式コンプレッサにおけるドレーンの純水化及び閉ループ化方法を提供することを目的とする。
【課題を解決するための手段】
【０００６】
本発明は、以上の目的を達成するために、請求項１の発明は、水循環式コンプレッサにおけるドレーンの純水化と供給水の閉ループ化のシステムであって、該システムは、コンプレッサ側から排水されるドレーンを純水変換部を介して純水とし、これをリザーバタンクに蓄水し、コンプレッサ側に必要量の純水を供給する。コンプレッサ側で必要とする以上に蓄水されたリザーバタンク内の純水は、オーバーフロー水としてドレーンとして排水し、前記工程を繰返し行うことを特徴とする。
【０００７】
また、請求項２の発明は、前記純水変換部が、フィルタ及び純水器（含むイオン交換樹脂）からなることを特徴とする。尚、フィルタは必ずしも常に必要とはしない。
【０００８】
また、請求項３の発明は、前記リザーバタンクをコンプレッサの供給水部位より高い位置に配置し、水頭によって純水供給を行うことを特徴とする。
【０００９】
また、請求項４の発明は、前記リザーバタンクをコンプレッサの供給水部位より低い位置に設置し、水ポンプを用いて純水供給を行うことを特徴とする。
【発明の効果】
【００１０】
本発明の請求項１の水循環式コンプレッサにおけるドレーンの純水化及び閉ループ化方法によれば、コンプレッサからのドレーンは純水変換部によって純水化されてリザーバタンクに送られ、リザーバタンクから再びコンプレッサ側に戻水されて再び冷却水（潤滑水）として使用され冷却水の閉ループ化をして供給水の供給量を大幅に低減し、電力消費量の低減と環境保全に大きく貢献することができる。
【００１１】
また、本発明の請求項２の水循環式コンプレッサにおけるドレーンの純水化及び閉ループ化方法によれば、純水器（含むイオン交換樹脂）を用いることによりドレーンの純水化が行われる。
【００１２】
また、本発明の請求項３の水循環式コンプレッサにおけるドレーンの純水化及び閉ループ化方法によれば、リザーバタンクがコンプレッサの供給水部位より高い位置にあれば水頭を利用してコンプレッサ側に給水ができる。
【００１３】
また、本発明の請求項４の水循環式コンプレッサにおけるドレーンの純水化及び閉ループ化方法によれば、リザーバタンクがコンプレッサの供給水部位よりも低い場合は水ポンプを使用することにより純水の安定供給ができる。なお、水ポンプを使用する分だけ不利な点もあるが、リザーバタンクの水頭を上げるためには費用がかかるが両者の効果は同じである。
【発明を実施するための最良の形態】
【００１４】
以下、本発明の水循環式コンプレッサにおけるドレーンの純水化及び閉ループ化方法の実施の形態を図面を参照して詳述する。
【実施例１】
【００１５】
図１はリザーバタンク３がコンプレッサ２の供給水位置（部位）よりも高い位置に設置された場合を示す。
水循環式のコンプレッサ２からの全てのドレーンは純水変換部１により純水化され、これを介してリザーバタンク３に圧送される。リザーバタンク３内に蓄溜された純水はコンプレッサ２側に戻入されて再使用される。なお、純水変換部１にはコンプレッサ２からの圧縮空気の圧力が作用しているため、高い位置にあるリザーバタンク３へ純水は特別な処置をしなくても容易に送ることができる。また、コンプレッサ２側が必要とする純水量以上の純水はリザーバタンク３からオーバーフローされ、オーバーフロー水として排水溝１１に排水される。純水変換部１としてはフィルタ１ａと純水器１ｂとからなる。フィルタ１ａとしてはイオン交換樹脂を用いたものが一例として挙げられるがこれに限定するものではなく、ドレーンの純水化に効果的な公知の他の構成のフィルタが適用されてもよい。また、純水器１ｂとしては公知の純水器でよく、その説明は省略する。
以上の構造により、コンプレッサ２からのドレーンは純水化され圧縮空気の圧力でリザーバタンク３に送られ、リザーバタンク３の水頭により特別な処置をすることなくコンプレッサ２側に送られて冷却水（潤滑水）として使用されて循環する。これにより、外部への排水は原則として生じないが、前記のようにコンプレッサ２側が必要とする以上の純水はリザーバタンク３から排水溝１１側に排水されるが、この水は純水であり、排出基準以内のものからなり、また、銅イオンや亜鉛イオン等の金属イオンが排除されているため排水しても無害であり、環境保全に貢献することになる。
【実施例２】
【００１６】
図２はリザーバタンク３がコンプレッサ２の供給水位置（部位）より低い位置に設置された場合である。コンプレッサ２からのドレーンの純水化及び閉ループ化については前記の「実施例１」と同様であるが、リザーバタンク３がコンプレッサ２よりも低い位置にあるためリザーバタンク３の水頭で純水を自然にコンプレッサ２側に戻入することができないため、この「実施例２」では水ポンプ１２が設置されている。よってリザーバタンク３の純水は水ポンプ１２を介してコンプレッサ２側に戻水されることになる。
【産業上の利用可能性】
【００１７】
本発明は、従来排出基準を超える状態で排出され、特別なドレーン処理を行った後に排出されていたドレーンを閉ループ化し、その閉ループ内で純水化するようにしたものであり、各種型式の水循環式コンプレッサのすべてに適用され、その利用範囲は広い。
【図面の簡単な説明】
【００１８】
【図１】本発明の実施例の構成図。
【図２】本発明の他の実施例の構成図。
【図３】従来の水循環式コンプレッサの全体概要構成を示す構成図。
【符号の説明】
【００１９】
１    純水変換部
１ａ  フィルタ
１ｂ  純水器
２    コンプレッサ
３    リザーバタンク
４    エアクリーナ
５    空気容量調整弁
６    水供給源
７    ドライヤ
８    空気使用側
９    クーラ
１０  フィルタ
１１  排水溝
１２  水ポンプ
１３  水タンク
【図１】
2007127024.tif 000003
【図２】
2007127024.tif 000004
【図３】
2007127024.tif 000005